(57)【特許請求の範囲】
【請求項１】
ＬＥＤ（Ｌｉｇｈｔ  Ｅｍｉｔｔｉｎｇ  Ｄｉｏｄｅ）が実装される基板と、
前記基板が取り付けられ、前記基板に実装されたＬＥＤが発する光を外部へ放射する光出口が形成されたケースと、
ＬＥＤ側に向かって細身になった桟を有する格子状のルーバーであって、前記ケースに形成された前記光出口側から前記ＬＥＤ側を見た場合に、前記複数の桟が交差して形成された交点が前記ＬＥＤと重なる位置になるように設けられたルーバーと
を備えることを特徴とする照明器具。
【請求項２】
前記基板は、複数のＬＥＤが実装され、
前記ルーバーは、前記ケースに形成された前記光出口側から前記ＬＥＤ側を見た場合に、前記複数の桟が格子状に交差して形成された複数の交点の各交点が、前記複数のＬＥＤの各ＬＥＤと重なる位置になるように設けられた
ことを特徴とする請求項１に記載の照明器具。
【請求項３】
前記ルーバーは、白色又は銀色である
ことを特徴とする請求項１又は２に記載の照明器具。
【発明の詳細な説明】
【技術分野】
【０００１】
この発明は、例えば、ＬＥＤ（Ｌｉｇｈｔ  Ｅｍｉｔｔｉｎｇ  Ｄｉｏｄｅ）等を光源とする照明器具に関する。
【背景技術】
【０００２】
特許文献１には、ケースの内部にＬＥＤを備え、ＬＥＤが発する光を外部へ放射する光出口に透光カバーを有する照明器具についての記載がある。
【先行技術文献】
【特許文献】
【０００３】
【特許文献１】特開２００８−１６６０９７号公報
【発明の概要】
【発明が解決しようとする課題】
【０００４】
特許文献１に記載されたようなＬＥＤを光源とした照明器具では、ＬＥＤが発する光が光出口において一様に広がっておらず、透光カバーのカバー面に光が点状に放射される。つまり、光出口に設けられた透光カバーのカバー面における輝度分布は、ＬＥＤが設けられた部分だけが極端に明るくなり、カバー面における輝度が一様にならない。そのため、外部から光出口を見ると、カバー面に当たった光が点状に見え、意匠的に好ましくない。
この発明は、例えば、光源が発した光が一様に拡散して透光カバーへ放射されるようにすることを目的とする。
【課題を解決するための手段】
【０００５】
この発明に係る照明器具は、例えば、
光源が実装される基板と、
前記基板が取り付けられ、前記基板に実装された光源が発する光を外部へ放射する光出口が形成されたケースと、
光源側に向かって細身になった桟を有する格子状のルーバーであって、前記ケースに形成された前記光出口側から前記光源側を見た場合に、前記複数の桟が交差して形成された交点が前記光源と重なる位置になるように設けられたルーバーと
を備えることを特徴とする。
【発明の効果】
【０００６】
この発明に係る照明器具では、光源側に向かって細身になった桟を有する格子状のルーバーが、光出口側から光源側を見た場合に、桟が交差して形成された交点が光源と重なる位置になるように設けられる。そのため、光源が発する光がルーバーによって一様に拡散され透光カバーへ放射される。
【図面の簡単な説明】
【０００７】
【図１】照明器具２０の斜視図。
【図２】照明器具２０の平面図。
【図３】照明器具２０の断面図であって、図２のＡ−Ａ’部分の断面図。
【図４】照明器具２０の断面図であって、図２のＢ−Ｂ’部分の断面図。
【図５】照明器具２０の断面図であって、図２のＣ−Ｃ’部分の断面図。
【図６】ルーバー５の斜視図。
【図７】ルーバー５の他の例を示す図。
【発明を実施するための形態】
【０００８】
実施の形態１．
図に基づき、実施の形態１に係る照明器具２０について説明する。
図１は、照明器具２０の斜視図である。なお、図１では、カバー６を取り付けていない状態の照明器具２０を示す。
図２は、照明器具２０の平面図（図１のＸ方向から見た図）である。
図３は、照明器具２０の断面図であって、図２のＡ−Ａ’部分の断面図である。
図４は、照明器具２０の断面図であって、図２のＢ−Ｂ’部分の断面図である。
図５は、照明器具２０の断面図であって、図２のＣ−Ｃ’部分の断面図である。
図６は、ルーバー５の斜視図である。
【０００９】
照明器具２０は、基板２、光源モジュール３、枠体４（ケース）、ルーバー５、カバー６を備える。
【００１０】
基板２には、光源１が実装される。光源１は、ＬＥＤ等である。
【００１１】
光源モジュール３には、複数の基板２が設けられる。特に、ここでは、長方形の光源モジュール３の長辺方向に複数の基板２が一列に並べて設けられる。
【００１２】
枠体４は、長方形の底板部７と、底板部７の短手方向の両側に設けられた側板部８とを備える。
底板部７の内側面には、光源モジュール３が設けられる。また、底板部７の内側面と対向する面側は開放され、光源１が発する光を枠体４の外部へ放射する光出口９が形成される。
側板部８は、光出口９の開口面積を広くするため、底板部７側から光出口９側へ向けて外側へ傾斜して設けられる。また、側板部８の内側面は、光源１が発する光を反射する反射面である。
また、枠体４の長手方向の両側は開放されている。
【００１３】
ルーバー５は、枠体４の側板部８に取り付けられ、光源１が発する光を拡散する。
ルーバー５は、複数の桟が交差して格子状に形成される。ここでは、１本の長桟１０と、複数の短桟１１とが交差して形成される。長桟１０と短桟１１とは、光源１側に向かって細身になっている。つまり、長桟１０と短桟１１とは、断面が先鋭部１２を有する形状に形成された桟である。ここでは、長桟１０と短桟１１とは、頂角が鋭角である二等辺三角形（Ｖ字状）に断面が形成された桟であり、頂角部分が先鋭部１２となる。長桟１０と短桟１１とは、先鋭部１２を同一方向へ向けて、直角に交差する。
ルーバー５は、光出口９側から光源１側を見て、長桟１０と短桟１１とが交差する交点１３が、光源１の中心位置になるように取り付けられる。ここでは、光出口９側から光源１側を見て、長桟１０と短桟１１とが交差して形成された複数の交点１３の各交点１３が、複数の光源１の各光源１の中心位置になるように取り付けられる（図２参照）。
【００１４】
カバー６は、光源１が発する光を拡散する透光性を有するカバーであり、光出口９を覆うように側板部８に取り付けられる。
【００１５】
上述したように、光源１はＬＥＤ等である。ＬＥＤの配光特性は、一般に光軸方向の光度が大きい。そのため、従来のように、ルーバー５を設けていない照明器具では、光軸方向に配置されたカバー６に光の濃淡ができ、意匠的に好ましくない。
しかし、この実施の形態に係る照明器具２０では、ＬＥＤの光軸方向にルーバー５の交点１３が位置する。また、ルーバー５は、光源１側に向かって細身になっている。このため、ＬＥＤが発した光がルーバー５により光軸方向と異なる方向に反射して拡散される。これにより、ＬＥＤが発した光が光軸方向の集中光にならず拡散してカバー６へ放射される。
したがって、外部から光出口を見ると、外部から光出口を見ると、カバー６に当たった光が点状に見えることがない。
【００１６】
なお、上記説明では、ルーバー５は、二等辺三角形に断面が形成された桟により格子状に形成されるとした。しかし、これに限らず、ルーバー５は、光源１側に向かって細身になっていればよく、例えば、Ｖ字状に断面が形成された桟により格子状に形成されていてもよい。
【００１７】
また、上記説明では、ルーバー５は、長桟１０と短桟１１とが直角に交差して形成されるとした。しかし、ルーバー５は、２つの桟が直角以外の角度で交差して形成されてもよい。また、ルーバー５は、３つ以上の桟が交差して形成されてもよい。
例えば、図７に示すように、ルーバー５は、長桟１０に２本の短桟１１が６０度づつずれて交差して形成されてもよい。つまり、各交点１３は、１本の長桟１０と２本の短桟１１との３本の桟により形成される。もちろん、各交点１３が４本以上の桟により形成されるようにしてもよい。
【符号の説明】
【００１８】
１  光源、２  基板、３  光源モジュール、４  枠体、５  ルーバー、６  カバー、７  底板部、８  側板部、９  光出口、１０  長桟、１１  短桟、１２  先鋭部、１３  交点、２０  照明器具。
【図１】
0005388738.tif 000002
【図２】
0005388738.tif 000003
【図３】
0005388738.tif 000004
【図４】
0005388738.tif 000005
【図５】
0005388738.tif 000006
【図６】
0005388738.tif 000007
【図７】
0005388738.tif 000008